(57)【要約】  【課題】沿道緑地の雑草を刈り取る際に、道路を汚したり、通行止めにすることなしに、円滑に刈り取り可能な方法を実現する。  【解決手段】道路に面した緑地の雑草を刈り取る際に、沿道部を含む外周側を残して、内側の領域だけを刈り取るため、外周側に残っている丈の高い雑草によって、内側の領域を刈り取る際の道路への廃草の飛散を防止でき、また刈り取られた廃草は、刈り取り後の内側の領域の各雑草間の隙間に自然と沈降して分解し消失する。  その後は数週間間隔で、同じく内側の領域だけを、刈り高さを前回よりも短く刈るので、廃草は初回より短く、廃草量も少なくなり、刈り高さが低くても雑草隙間に容易に入り込んで、自然と沈降し分解する。外周側の高い雑草は最終回に刈り取る。【選択図】図２
2011155890.tif 000002
【特許請求の範囲】
【請求項１】
沿道の緑地の雑草を刈り取る際に、沿道部を含む外周側を残して、内側の領域だけを刈り取ることを特徴とする沿道緑地の雑草刈り取り方法。
【請求項２】
前記のように内側の領域を最初に刈り取った後、少なくとも１週間が経過してから、同じく内側の領域だけを、残った草丈が前回よりも短くなるように刈り取ることを特徴とする請求項１に記載の沿道緑地の雑草刈り取り方法。
【請求項３】
前記の内側の領域を前回より短く刈り取った後に、外周側に残った草丈の高い領域も刈り取ることを特徴とする請求項１または請求項２に記載の沿道緑地の雑草刈り取り方法。
【請求項４】
初回の刈り取り後の内側の雑草の丈は、１５〜３０ｃｍであり、２回目の刈り取り後の内側の雑草の丈は、１０〜２０ｃｍであり、最終回の刈り取り後の内側の雑草の丈は、３〜１０ｃｍであることを特徴とする請求項３に記載の沿道緑地の雑草刈り取り方法。
【請求項５】
前記のように外周側に残った領域も刈り取った後は、１週間以上の所定の時間間隔をおいて、定期的に、内側も外周側も一斉に刈り取ることを特徴とする請求項３又は４に記載の沿道緑地の雑草刈り取り方法。
【請求項６】
初回は草丈を長めに刈り取った後、少なくとも１週間が経過してから、残った草丈が前回よりも短くなるように、刈り高さを低く刈り取り、さらに少なくとも１週間が経過してから、残った草丈が３〜１０ｃｍとなるようにさらに低く刈り取ることを特徴とする緑地の雑草刈り取り方法。
【発明の詳細な説明】
【技術分野】
【０００１】
本発明は、道路の中央分離帯や車道と歩道間の緑地帯などのような道路に面した緑地の雑草を刈り取り管理する方法に関する。
【背景技術】
【０００２】
道路中央分離帯や車道・歩道間の緑地帯などの雑草を刈取る場合、刈払機を使用しているが、小石を跳ね飛ばして通行車両に当たったりするため、移動用のネットを間に張って対処している。
また、刈り取った廃草のパッカー車やトラックへの積込み作業や道路の清掃などの後始末の際は、作業員の安全確保のために１車線を一時的に通行止めにする必要があり、不便を強いられる。従って、これらの作業は短時間で行う必要があり、１０人以上もの人員を要する。その結果、危険性も高い。
飛散防止カバーのついた草刈り機を使用しても、機械の容量の関係上、伸び放題の高い雑草の場合は刈り高さを高くして廃草を少なく設定する必要があり、車高に伴って飛散防止カバーも高くなるので、下側の隙間から廃草が四方に飛散して道路を汚してしまう。
このような問題を回避できる雑草刈り取り方法は知られておらず、特許文献１に記載のように、堤防法面に生えた芝の最適刈り取り時期と雑草の最適刈り取り時期を把握し、二つの時期が一致した時期に雑草及び芝を一斉に刈り取る方法とか、特許文献２に記載のように、領域毎にランク分けして、それぞれのランク毎に芝刈りの頻度を変えて、最高芝丈を設定し管理する方法が提案されている程度である。
【先行技術文献】
【特許文献】
【０００３】
【特許文献１】特許第3808463 号
【特許文献２】特許第4052861 号
【発明の概要】
【発明が解決しようとする課題】
【０００４】
しかしながら、特許文献１、２に記載のような方法を採用したとしても、沿道の緑地の場合は、刈り取った廃草が道路に飛散したりする問題は避けられず、道路を汚すため一時的に通行止めにする必要がある。そして、道路を清掃し後始末してからでないと、通行を再開できない。しかも、緑地の刈り取りの都度、このような不便が強いられるので、緑地管理に伴う負担が大きい。
本発明の技術的課題は、このような問題に着目し、沿道緑地の雑草を刈り取る際に、道路を汚したり、通行止めにすることなしに、円滑に刈り取り、かつ最適に緑地管理可能な方法実現することにある。また、沿道以外の緑地でも、刈り取った廃草の清掃が不必要な刈り取り方法が有ると、清掃や廃棄処理の作業から開放され、人件費も削減できる。
【課題を解決するための手段】
【０００５】
請求項１は、沿道の緑地の雑草を刈り取る際に、沿道部を含む外周側を残して、内側の領域だけを刈り取ることを特徴とする沿道緑地の雑草刈り取り方法である。
このように、道路に面した緑地の雑草を刈り取る際に、沿道部を含む外周側を残して、内側の領域だけを刈り取るため、外周側に残っている丈の高い雑草によって、内側の領域を刈り取る際の道路への廃草の飛散を防止できる。
刈り取られた廃草が風などで道路側に飛散するのも、外周側に残っている丈の高い雑草によって阻止される。そして、数週間もすると、刈り取られた廃草は、刈り取り後の内側の領域の各雑草間の隙間に自然と沈降して分解し消失していくので、廃草を清掃し廃棄する必要性は無い。
その結果、沿道緑地の雑草刈りの際に、道路を通行止めにして、道路利用者に不便を強いる必要はなく、また清掃作業の負担も危険も生じないので、効率的で安全な雑草刈りができる。
【０００６】
請求項２は、前記のように内側の領域を最初に刈り取った後、少なくとも１週間が経過してから、同じく内側の領域だけを、残った草丈が前回よりも短くなるように刈り取ることを特徴とする請求項１に記載の沿道緑地の雑草刈り取り方法である。
前記のようにして内側の領域を最初に刈り取った後、少なくとも１週間が経過して雑草がある程度伸びてから、同じく内側の領域だけを、刈り高さが前回よりも低くなるように刈り取るので、雑草がより目立たなくなる。また、刈り取った廃草は初回より短く、刈り取った廃草量も少ないので、短く刈られた後の丈の低い雑草の間の隙間でも容易に入り込んで隠れることができる。そして、１〜２週間も経つと、自然と沈降しながら分解していくので、飛散することはなく、徐々に消失していく。
【０００７】
請求項３は、前記の内側の領域を前回より短く刈り取った後に、外周側に残った草丈の高い領域も刈り取ることを特徴とする請求項１または請求項２に記載の沿道緑地の雑草刈り取り方法である。
このように、前記の内側の領域を前回より短く刈り取った後に、最後に、外周側に残った草丈の高い領域も刈り取るので、内側の領域を刈り取る際の道路への飛散を防止できる。
【０００８】
請求項４は、初回の刈り取り後の内側の雑草の丈は、１５〜３０ｃｍであり、２回目の刈り取り後の内側の雑草の丈は、１０〜２０ｃｍであり、最終回の刈り取り後の内側の雑草の丈は、３〜１０ｃｍであることを特徴とする請求項３に記載の沿道緑地の雑草刈り取り方法である。
このように、外周側を残して内側を刈り取る際に、初回の刈り取り後の内側の雑草の丈は１５〜３０ｃｍとし、２回目の刈り取り後の内側の雑草の丈は１０〜２０ｃｍとし、最終回の刈り取り後の内側の雑草の丈は３〜１０ｃｍとすることにより、草丈すなわち刈り高さの許容範囲が拡がるので、刈り取り後の雑草の草丈の設定が容易になる。なお、この許容範囲の上限値より長いと、その後の成長後の草丈が高くなり過ぎ、刈り取り頻度を増やす必要がある。逆に、下限値より短いと、最終回に残った雑草の草丈が短過ぎて、刈り取った廃草が風で飛散し易くなり、かつ沈降も困難になる。
【０００９】
請求項５は、前記のように外周側に残った領域も刈り取った後は、１週間以上の所定の時間間隔をおいて、定期的に、内側も外周側も一斉に刈り取ることを特徴とする請求項３又は４に記載の沿道緑地の雑草刈り取り方法である。
このように、前記の外周側に残った草丈の高い領域も刈り取った後は、１週間以上の所定の時間間隔をおいて、定期的に、内側も外周側も一斉に刈り取るため、雑草が高く伸びるのを防止でき、常に新芽の美しい景観を楽しめる。
草丈が例えば５ｃｍ程度と短く刈っていく場合、短く刈り取った廃草も短くなるので、刈られて残っている草丈と切断された廃草の長さは比例している。このため、定期的に最も短く（例えば５ｃｍ程度に）刈り取る場合でも、生えている草の隙間に、短く切断された廃草は納まってしまい、故に飛散しない。従って、根元から完全に切除するのではなく、短くても例えば３〜１０ｃｍ程度の草丈が残るように刈り取ることになる。
このように、定期的に短く刈り取ると、その高さで生きられる草だけが生き残り、その大きさに育つ。短く残った草は日光が隙間無く当たり、全体に日当たりが良くなるので、密生してくる。よって全体的にきれいな新芽の状態となる。
【００１０】
請求項６は、初回は草丈を長めに刈り取った後、少なくとも１週間が経過してから、残った草丈が前回よりも短くなるように、刈り高さを低く刈り取り、さらに少なくとも１週間が経過してから、残った草丈が３〜１０ｃｍとなるようにさらに低く刈り取ることを特徴とする緑地の雑草刈り取り方法であり、沿道以外の緑地でも適用できる。また、平地に限らず、法面などにも適用できる。
このように、初回は刈り高さを高くして雑草を長めに刈り取った後、少なくとも１週間が経過してから、残った草丈が前回よりも短くなるように刈り高さを低くし、さらに少なくとも１週間が経過してから、残った草丈が３〜１０ｃｍとなるようにさらに低く刈り取る方法を採ると、沿道以外の緑地においても、初回は草丈を長めに刈り取るので、刈り取った廃草が長くても、或いは廃草量が多くても、草刈り機の容量オーバーとはならず、また長めの雑草の隙間に入り込んで隠れるので飛散が困難となり、かつ自然と分解されて土壌に戻される。
その結果、廃棄物は発生せず、清掃も不要となる。そして、少なくとも１週間が経過するたびに、前回よりも刈り高さを短く刈り取るので、最終的に全体的に日当たりが良くなって新芽が密生し、景観が改善される。刈り取られた廃草も次第に短くなり分量も減少するので、刈り高さを低くしても飛散困難となり、かつ分解も速まるので、支障は生じない。
【発明の効果】
【００１１】
請求項１のように、道路に面した緑地の雑草を刈り取る際に、沿道部を含む外周側を残して、内側の領域だけを刈り取るため、外周側に残っている丈の高い雑草によって、内側の領域を刈り取る際の道路への廃草の飛散を防止でき、数週間も経つと、刈り取られた廃草は、刈り取り後の内側の領域の各雑草間の隙間に自然と沈降して分解し消失していくので、廃草を清掃し廃棄する必要性は無い。
その結果、道路を通行止めにして、道路利用者に不便を強いる必要はなく、また清掃作業の負担も危険も生じないので、効率的で安全な雑草刈りができる。
【００１２】
前記のように内側の領域を最初に刈り取った後、請求項２のように、少なくとも１週間が経過して雑草がある程度伸びてから、同じく内側の領域だけを、刈り高さが前回よりも低くなるように刈り取るので、雑草がより目立たなくなる。また、刈り取った廃草は初回より短く、刈り取った廃草量も少ないので、短く刈られた後の丈の低い雑草の間の隙間でも容易に入り込んで隠れることができる。そして、１〜２週間も経つと、自然と沈降し分解していくので、飛散することはなく、徐々に消失していく。
【００１３】
請求項３のように、前記の内側の領域を前回より短く刈り取った後に、最後に、外周側に残った草丈の高い領域も刈り取るので、内側の領域を刈り取る際の道路への飛散を防止できる。
【００１４】
請求項４のように、外周側を残して内側を刈り取る際に、初回の刈り取り後の内側の雑草の丈は１５〜３０ｃｍとし、２回目の刈り取り後の内側の雑草の丈は１０〜２０ｃｍとし、最終回の刈り取り後の内側の雑草の丈は３〜１０ｃｍとすることにより、草丈すなわち刈り高さの許容範囲が拡がるので、刈り高さの設定が容易になる。
【００１５】
請求項５のように、前記の外周側に残った草丈の高い領域も刈り取った後は、１週間以上の所定の時間間隔をおいて、定期的に、内側も外周側も一斉に刈り取るため、雑草が高く伸びるのを防止でき、常に新芽の美しい景観を楽しめる。
根元から完全に切除するのではなく、短くても例えば３〜１０ｃｍ程度の草丈が残るように刈り取るので、生えている草の隙間に、短く切断された廃草は納まってしまい、故に飛散しないで、自然と分解する。日照も良くなって密生してくるので、全体的にきれいな新芽の状態となる。
【００１６】
請求項６のように、初回は刈り高さを高くして雑草を長めに刈り取った後、１週間以上経ってから、前回よりも刈り高さを低くし、さらに１週間以上経ってから、残った草丈が３〜１０ｃｍとなるようにさらに刈り高さを低くする方法を採ると、沿道以外の緑地においても、初回は草丈を長めに刈り取るので、刈り取った廃草が長くても、或いは廃草量が多くても、草刈り機の容量オーバーとはならず、また長めの雑草の隙間に廃草が入り込んで隠れるので飛散が困難となり、かつ自然と分解されて土壌に戻される。
【図面の簡単な説明】
【００１７】
【図１】車道の中央分離帯に雑草が伸び放題の状態を示す側面図である。
【図２】図１の中央分離帯の内側の雑草を刈り取った状態を示す図５Ａ−Ａ断面図である。
【図３】図２の状態から伸びた内側の雑草をより短く刈り取っ状態を示す図５Ａ−Ａ断面図である。
【図４】図３の状態から伸びた内側の雑草をさらに短く刈り取っ状態を示す図５Ａ−Ａ断面図である。
【図５】図２の刈り取り状態を示す平面図である。
【発明を実施するための形態】
【００１８】
次に本発明による沿道緑地の雑草刈り取り方法が実際上どのように具体化されるか実施形態を詳述する。図１は車道Ｒの中央分離帯などのような緑地帯の側面図で、コンクリートの縁石１で囲まれた土壌の領域に、雑草２が生えている。伸び放題のため、草丈の高い雑草２…の間は日当たりが悪く、草丈の低い雑草は生育できない。
【００１９】
図１のように伸び放題の雑草２を刈り取る場合、最初から根元から刈り取るのでなく、図２→図３→図４の順に、数週間の間隔をおいて、残った草丈が徐々に短くなるように刈り取っていく。最初は図２のように、例えば２０ｃｍ程度の草丈２１となるように長めに刈り取り、次いで数週間後に、図３のように、例えば１０ｃｍ程度の草丈２２となるように、前回よりは短めに刈り取る。そして、数週間経つと、最終的に図４のように、例えば５ｃｍ程度の草丈２３となるように、さらに短めに刈り取る。
【００２０】
ただし、図２、図３のように、草丈を長めに残す場合は、図５からも明らかなように、緑地帯の外周だけは刈り取らずに、最初の伸び放題の雑草２を残しておき、内側だけを刈り取る。
その結果、図２、図３のように、内側の雑草を刈り取る際には、刈り取った廃草が道路Ｒ側に飛散するのを、外周側に残っている丈の高い雑草２で阻止できる。
図２のように、伸び放題の状態から最初に刈り取る際には、高めの草丈２１のように２０ｃｍ程度の長めに残しておいても、刈り取った廃草の長さも長い。しかしながら、刈り取った後に残った雑草２１…の丈が２０ｃｍ程度と比較的高いため、刈り取った長い廃草は深い隙間Ｇに入り込んで隠れてしまうので、刈り取り時に周囲に飛散し難いだけでなく、刈り取り後に風で吹き飛ばされることも防止できる。
しかも、隙間Ｇ中に入り込んでいる廃草は、自然に腐敗し分解して土壌３中に戻される。なお、図５の草刈り機Ｍ、ｍのカッター速度を選定したりして、短く細断してから廃草を吐出させれば分解が速まり、１〜２週間でも沈降し分解する。
【００２１】
図２のように刈り取った後、数週間経過してから、再度内側だけを刈り取るが、この場合は、図３のように、初回よりも短く、例えば１０ｃｍ程度の草丈２２となるように、より短く刈り取る。
このように、残った草丈２２は１０ｃｍ程度と短くなるが、刈り取った廃草も最初に刈り取った廃草に比べて短いので、草丈の短い雑草２２の間の隙間Ｇでも効果的に隠れることになり、風で飛散したりする恐れはない。しかも、時間の経過と共に、隙間Ｇ中で腐敗し分解して土壌３中に戻る。従って、廃棄物は残らないし、清掃の負担も軽減される。
なお、前記のように刈り取った廃草を短く細断してから吐出すれば、分解を早めることもできる。
【００２２】
図３の状態から更に数週間経過すると、図４のように残った草丈２３が５ｃｍ程度と最も低くなるように刈り取る。
その結果、残った雑草２３の丈は５ｃｍ程度と最も短くなるが、刈り取った廃草も最も短いので、草丈の最も短い雑草２３の間の隙間Ｇでも効果的に隠れることになり、風で飛散したりする恐れはない。
このように、廃草が短く、かつ分量も減少するので、時間の経過と共に、隙間Ｇ中で腐敗し分解して土壌３中に戻るのも速い。
図４のように最も短く刈り取る場合は、周囲に残っていた伸び放題の雑草２も同時に刈り取る。この場合、内側の短い雑草を刈り取ってから、外周の伸び放題の雑草２を刈り取れば、内側の短い廃草が道路Ｒ側に飛散するのを防止できる。また、最後に外周の伸び放題の雑草２を刈り取る際は、草刈り機内で短く細断してから、道路Ｒと反対側に吐出させれば、道路を汚すことも無い。
【００２３】
こうして、外周側に残った草丈の高い雑草２も刈り取った後は、数週間の時間間隔をおいて、定期的に、内側も外周側も一斉に刈り取るため、雑草２３が高く伸びるのを防止でき、常に新芽の美しい景観を維持できる。しかも、定期的に５ｃｍ程度と短く刈り取ると、その高さで生育できる草だけが生き残り、その大きさに育つ。短く残った草は日光が隙間無く当たり、全体に日照が良くなるので、密生してくる。その結果、全体的にきれいな新芽の状態を維持でき、景観も改善される。
【００２４】
図２のような初回の刈り取り後の雑草２１の丈は、２０ｃｍ程度が最適であるが、１５〜３０ｃｍ程度でも許容される。また、図３のような２回目の刈り取り後の雑草２２の丈は、１５ｃｍ程度が最適であるが、１０〜２０ｃｍ程度でも許容される。図４のような最終回の刈り取り後の雑草２３の丈は、５ｃｍ程度が最適であるが、３〜１０ｃｍ程度でも許容される。
このような範囲における上限値より長いと、その後の成長後の草丈が高くなり過ぎ、刈り取り頻度を増やす必要がある。逆に、下限値より短いと、最終回に残った雑草２３の草丈が短過ぎて、刈り取り後の雑草隙間Ｇも浅過ぎるので廃草が隠れきれずに風で飛散する恐れがある。
なお、緑地帯に生えている樹木は、切り倒した後にチップにして放置しマルチングすれば、アースサイクルが可能で、植物系廃棄物がゼロとなり、後始末が不必要となる。
【００２５】
本発明の方法による刈り取り作業は、図５のように例えばモア又はロータリーモアＭ、ｍなどの草刈り機で行なう。刈り取った廃草の吐き出し口を草刈り機Ｍ、ｍに対し前方又は後方と側方に有していて、廃草を細断して矢印方向に吐出するので、図４の最終回のように外周の高い雑草２が無くなると、吐き出し方向を自由に選ぶことで、刈り取った廃草が道路Ｒ側に飛散しないように工夫できる。
なお、刈り高さを次第に低くしていく場合、また全領域を最短状態に定期的に刈り取る場合の時間間隔を「数週間」と記載したが、伸びの速い夏期の場合は２週間程度となり、伸びの遅い冬季には、４〜６週間程度の間隔でも足りる。
【産業上の利用可能性】
【００２６】
以上のように、本発明によると、緑地帯における内側だけを定期的に徐々に短くなるように、複数回に分けて草刈りし、最後は外周側も内側も一斉に刈り取るので、刈り取り作業時に道路に飛散するのを防止でき、通行止めなどの不便を解消できる。
また、刈り取った廃草は、内側に残った雑草の上に放置しても、各雑草間の隙間に入り込んで自然分解するので、風で飛散する恐れがなく、かつ自然と消失するので、刈り取り後の清掃作業も不必要となる。短く刈り取った後は、全体的に日照も良くなるので、短い新芽が密生することなり、常に自然の美しい景観を確保できる。従って、沿道緑地以外の緑地にも有効である。
【符号の説明】
【００２７】
Ｒ  車道
１  緑地帯のコンクリート縁石
２  伸び放題の雑草
３  土壌
Ｇ  刈り取り後の雑草間の隙間
２１  初回の刈り取り後の雑草
２２  ２回目の刈り取り後の雑草
２３  最終回の刈り取り後の雑草
Ｍ・ｍ  草刈り機
【図１】
2011155890.tif 000003
【図２】
2011155890.tif 000004
【図３】
2011155890.tif 000005
【図４】
2011155890.tif 000006
【図５】
2011155890.tif 000007
【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
初回は草丈を15ｃｍ以上の長めに刈り取って、刈り取った廃草を、刈り取った後に残った雑草の隙間に自然沈降させた後、少なくとも１週間が経過してから、残った草丈が前回よりも短くなるように２回目の刈り取りを行なって、刈り取った廃草を、刈り取った後に残った雑草の隙間に自然沈降させることを特徴とする雑草刈り取り方法。
【請求項２】
前記のように２回目の刈り取りを行なった後、さらに少なくとも１週間が経過してから、残った草丈が３〜１０ｃｍとなるように３回目の刈り取りを行なうと共に、刈り取った廃草を、刈り取った後に残った雑草の隙間に自然沈降させることを特徴とする請求項１に記載の雑草刈り取り方法。
【請求項３】
初回の刈り取り後の雑草の丈は１５〜３０ｃｍであり、２回目の刈り取り後の雑草の丈は１０〜２０ｃｍであり、３回目の刈り取り後の雑草の丈は３〜１０ｃｍであることを特徴とする請求項２に記載の雑草刈り取り方法。
【請求項４】
沿道の緑地の雑草を刈り取る際に、沿道部を含む外周側を残して、内側の領域だけを前記の方法で刈り取ることを特徴とする請求項１、請求項２又は請求項３に記載の雑草刈り取り方法。
【請求項５】
前記の内側の領域を短く刈り取った後に、外周側に残った草丈の高い領域も内側の領域と同じく短く刈り取ることを特徴とする請求項４に記載の雑草刈り取り方法。
【請求項６】
前記のように外周側に残った領域も刈り取った後は、１週間以上の所定の時間間隔をおいて、定期的に、内側も外周側も一斉に３〜１０ｃｍに刈り取ることを特徴とする請求項５に記載の雑草刈り取り方法。
【手続補正２】
【補正対象書類名】明細書
【補正対象項目名】全文
【補正方法】変更
【補正の内容】
【発明の詳細な説明】
【技術分野】
【０００１】
本発明は、道路の中央分離帯や車道と歩道間の緑地帯などのような道路に面した緑地の雑草を刈り取り管理する方法に関する。
【背景技術】
【０００２】
道路中央分離帯や車道・歩道間の緑地帯などの雑草を刈取る場合、刈払機を使用しているが、小石を跳ね飛ばして通行車両に当たったりするため、移動用のネットを間に張って対処している。
また、刈り取った廃草のパッカー車やトラックへの積込み作業や道路の清掃などの後始末の際は、作業員の安全確保のために１車線を一時的に通行止めにする必要があり、不便を強いられる。従って、これらの作業は短時間で行う必要があり、１０人以上もの人員を要する。その結果、危険性も高い。
飛散防止カバーのついた草刈り機を使用しても、機械の容量の関係上、伸び放題の高い雑草の場合は刈り高さを高くして廃草を少なく設定する必要があり、車高に伴って飛散防止カバーも高くなるので、下側の隙間から廃草が四方に飛散して道路を汚してしまう。
このような問題を回避できる雑草刈り取り方法は知られておらず、特許文献１に記載のように、堤防法面に生えた芝の最適刈り取り時期と雑草の最適刈り取り時期を把握し、二つの時期が一致した時期に雑草及び芝を一斉に刈り取る方法とか、特許文献２に記載のように、領域毎にランク分けして、それぞれのランク毎に芝刈りの頻度を変えて、最高芝丈を設定し管理する方法が提案されている程度である。
【先行技術文献】
【特許文献】
【０００３】
【特許文献１】特許第3808463 号
【特許文献２】特許第4052861 号
【発明の概要】
【発明が解決しようとする課題】
【０００４】
しかしながら、特許文献１、２に記載のような方法を採用したとしても、沿道の緑地の場合は、刈り取った廃草が道路に飛散したりする問題は避けられず、道路を汚すため一時的に通行止めにする必要がある。そして、道路を清掃し後始末してからでないと、通行を再開できない。しかも、緑地の刈り取りの都度、このような不便が強いられるので、緑地管理に伴う負担が大きい。
本発明の技術的課題は、このような問題に着目し、沿道緑地の雑草を刈り取る際に、道路を汚したり、通行止めにすることなしに、円滑に刈り取り、かつ最適に緑地管理可能な方法を実現することにある。また、沿道以外の緑地でも、刈り取った廃草の清掃が不必要な刈り取り方法が有ると、清掃や廃棄処理の作業から開放され、人件費も削減できる。
【課題を解決するための手段】
【０００５】
請求項１は、初回は草丈を15ｃｍ以上の長めに刈り取って、刈り取った廃草を、刈り取った後に残った雑草の隙間に自然沈降させた後、少なくとも１週間が経過してから、残った草丈が前回よりも短くなるように２回目の刈り取りを行なって、刈り取った廃草を、刈り取った後に残った雑草の隙間に自然沈降させることを特徴とする雑草刈り取り方法である。
【０００６】
請求項２は、前記のように２回目の刈り取りを行なった後、さらに少なくとも１週間が経過してから、残った草丈が３〜10ｃｍとなるように３回目の刈り取りを行なうと共に、刈り取った廃草を、刈り取った後に残った雑草の隙間に自然沈降させることを特徴とする請求項１に記載の雑草刈り取り方法である。
【０００７】
請求項３は、初回の刈り取り後の雑草の丈は１５〜３０ｃｍであり、２回目の刈り取り後の雑草の丈は１０〜２０ｃｍであり、３回目の刈り取り後の雑草の丈は３〜１０ｃｍであることを特徴とする請求項２に記載の雑草刈り取り方法である。
【０００８】
請求項４は、沿道の緑地の雑草を刈り取る際に、沿道部を含む外周側を残して、内側の領域だけを前記の方法で刈り取ることを特徴とする請求項１、請求項２又は請求項３に記載の雑草刈り取り方法である。
【０００９】
請求項５は、前記の内側の領域を短く刈り取った後に、外周側に残った草丈の高い領域も内側の領域と同じく短く刈り取ることを特徴とする請求項４に記載の雑草刈り取り方法である。
【００１０】
請求項６は、前記のように外周側に残った領域も刈り取った後は、１週間以上の所定の時間間隔をおいて、定期的に、内側も外周側も一斉に３〜１０ｃｍに刈り取ることを特徴とする請求項５に記載の雑草刈り取り方法である。
【発明の効果】
【００１１】
請求項１のように、初回は草丈を15ｃｍ以上の長めに刈り取って、刈り取った廃草を、刈り取った後に残った雑草の隙間に自然沈降させた後、少なくとも１週間が経過してから、残った草丈が前回よりも短くなるように２回目の刈り取りを行なうので、雑草がより目立たなくなる。また、刈り取った廃草は初回より短く、刈り取った廃草量も少ないので、短く刈られた後の丈の低い雑草の間の隙間でも容易に入り込んで隠れることができ、飛散することはない。そして、１〜２週間も経つと、自然と沈降し分解して土壌に戻っていくので、徐々に消失していく。
【００１２】
請求項２のように、２回目の刈り取りを行なった後、さらに少なくとも１週間が経過してから、残った草丈が３〜１０ｃｍとなるように３回目の刈り取りを行なうと共に、刈り取った廃草を、残った雑草の隙間に自然沈降させるので、後は自然と分解されて土壌に戻される。しかも、根元から完全に切除するのではなく、短くても３〜１０ｃｍ程度の草丈が残るように刈り取るので、生えている草の隙間に、短く切断された廃草は納まってしまい、故に飛散しないで、自然と沈降する。日照も良くなって密生してくるので、全体的にきれいな新芽の状態となる。
【００１３】
請求項３のように、初回の刈り取り後の雑草の丈は１５〜３０ｃｍであり、２回目の刈り取り後の雑草の丈は１０〜２０ｃｍであり、３回目の刈り取り後の雑草の丈は３〜１０ｃｍとすることにより、草丈すなわち刈り高さの許容範囲が拡がるので、刈り高さの設定が容易になる。
なお、このような範囲における上限値より長いと、その後の成長後の草丈が高くなり過ぎ、刈り取り頻度を増やす必要がある。逆に、下限値より短いと、最終回に残った雑草の草丈が短過ぎて、刈り取り後の雑草隙間も浅過ぎるので廃草が隠れきれずに風で飛散する恐れがある。
【００１４】
請求項４のように、道路に面した緑地の雑草を刈り取る際に、沿道部を含む外周側を残して、内側の領域だけを前記の方法で刈り取るので、外周側に残っている丈の高い雑草によって、内側の領域を刈り取る際の道路への廃草の飛散を防止でき、数週間も経つと、刈り取られた廃草は、刈り取り後の内側の領域の各雑草間の隙間に自然と沈降して分解し消失していくので、廃草を清掃し廃棄する必要性は無い。
その結果、道路を通行止めにして、道路利用者に不便を強いる必要はなく、また清掃作業の負担も危険も生じないので、効率的で安全な雑草刈りができる。
【００１５】
請求項５のように、前記の内側の領域を短く刈り取った後に、外周側に残った草丈の高い領域も内側の領域と同じく短く刈り取るので、沿道の高く伸びた雑草を刈り取るという所期の目的を達成できる。
また、最後に外周の伸び放題の雑草を刈り取る際は、草刈り機内で短く細断してから、道路と反対側に吐出させれば、道路を汚すことも無く、清掃する手間や交通の妨げになるという問題も生じない。
【００１６】
請求項６のように、外周側に残った領域も刈り取った後は、１週間以上の所定の時間間隔をおいて、定期的に、内側も外周側も一斉に３〜１０ｃｍに刈り取るので、前記の外周側に残った草丈の高い領域も刈り取った後は、雑草が高く伸びるのを防止でき、常に新芽の美しい景観を楽しめる。
また、根元から完全に切除するのではなく、短くても３〜１０ｃｍ程度の草丈が残るように刈り取るので、生えている草の隙間に、短く切断された廃草は納まってしまい、故に飛散しないで自然と沈降分解する。
【図面の簡単な説明】
【００１７】
【図１】車道の中央分離帯に雑草が伸び放題の状態を示す側面図である。
【図２】図１の中央分離帯の内側の雑草を刈り取った状態を示す図５Ａ−Ａ断面図である。
【図３】図２の状態から伸びた内側の雑草をより短く刈り取っ状態を示す図５Ａ−Ａ断面図である。
【図４】図３の状態から伸びた内側の雑草をさらに短く刈り取っ状態を示す図５Ａ−Ａ断面図である。
【図５】図２の刈り取り状態を示す平面図である。
【発明を実施するための形態】
【００１８】
次に本発明による沿道緑地の雑草刈り取り方法が実際上どのように具体化されるか実施形態を詳述する。図１は車道Ｒの中央分離帯などのような緑地帯の側面図で、コンクリートの縁石１で囲まれた土壌の領域に、雑草２が生えている。伸び放題のため、草丈の高い雑草２…の間は日当たりが悪く、草丈の低い雑草は生育できない。
【００１９】
図１のように伸び放題の雑草２を刈り取る場合、最初から根元から刈り取るのでなく、図２→図３→図４の順に、数週間の間隔をおいて、残った草丈が徐々に短くなるように刈り取っていく。最初は図２のように、例えば２０ｃｍ程度の草丈２１となるように長めに刈り取り、次いで数週間後に、図３のように、例えば１０ｃｍ程度の草丈２２となるように、前回よりは短めに刈り取る。そして、数週間経つと、最終的に図４のように、例えば５ｃｍ程度の草丈２３となるように、さらに短めに刈り取る。
【００２０】
ただし、図２、図３のように、草丈を長めに残す場合は、図５からも明らかなように、緑地帯の外周だけは刈り取らずに、最初の伸び放題の雑草２を残しておき、内側だけを刈り取る。
その結果、図２、図３のように、内側の雑草を刈り取る際には、刈り取った廃草が道路Ｒ側に飛散するのを、外周側に残っている丈の高い雑草２で阻止できる。
図２のように、伸び放題の状態から最初に刈り取る際には、高めの草丈２１のように２０ｃｍ程度の長めに残しておいても、刈り取った廃草の長さも長い。しかしながら、刈り取った後に残った雑草２１…の丈が２０ｃｍ程度と比較的高いため、刈り取った長い廃草は深い隙間Ｇに入り込んで隠れてしまうので、刈り取り時に周囲に飛散し難いだけでなく、刈り取り後に風で吹き飛ばされることも防止できる。
しかも、隙間Ｇ中に入り込んでいる廃草は、自然に腐敗し分解して土壌３中に戻される。なお、図５の草刈り機Ｍ、ｍのカッター速度を選定したりして、短く細断してから廃草を吐出させれば分解が速まり、１〜２週間でも沈降し分解する。
【００２１】
図２のように刈り取った後、数週間経過してから、再度内側だけを刈り取るが、この場合は、図３のように、初回よりも短く、例えば１０ｃｍ程度の草丈２２となるように、より短く刈り取る。
このように、残った草丈２２は１０ｃｍ程度と短くなるが、刈り取った廃草も最初に刈り取った廃草に比べて短いので、草丈の短い雑草２２の間の隙間Ｇでも効果的に隠れることになり、風で飛散したりする恐れはない。しかも、時間の経過と共に、隙間Ｇ中で腐敗し分解して土壌３中に戻る。従って、廃棄物は残らないし、清掃の負担も軽減される。
なお、前記のように刈り取った廃草を短く細断してから吐出すれば、分解を早めることもできる。
【００２２】
図３の状態から更に数週間経過すると、図４のように残った草丈２３が５ｃｍ程度と最も低くなるように刈り取る。
その結果、残った雑草２３の丈は５ｃｍ程度と最も短くなるが、刈り取った廃草も最も短いので、草丈の最も短い雑草２３の間の隙間Ｇでも効果的に隠れることになり、風で飛散したりする恐れはない。
このように、廃草が短く、かつ分量も減少するので、時間の経過と共に、隙間Ｇ中で腐敗し分解して土壌３中に戻るのも速い。
図４のように最も短く刈り取る場合は、周囲に残っていた伸び放題の雑草２も同時に刈り取る。この場合、内側の短い雑草を刈り取ってから、外周の伸び放題の雑草２を刈り取れば、内側の短い廃草が道路Ｒ側に飛散するのを防止できる。また、最後に外周の伸び放題の雑草２を刈り取る際は、草刈り機内で短く細断してから、道路Ｒと反対側に吐出させれば、道路を汚すことも無い。
【００２３】
こうして、外周側に残った草丈の高い雑草２も刈り取った後は、数週間の時間間隔をおいて、定期的に、内側も外周側も一斉に刈り取るため、雑草２３が高く伸びるのを防止でき、常に新芽の美しい景観を維持できる。しかも、定期的に５ｃｍ程度と短く刈り取ると、その高さで生育できる草だけが生き残り、その大きさに育つ。短く残った草は日光が隙間無く当たり、全体に日照が良くなるので、密生してくる。その結果、全体的にきれいな新芽の状態を維持でき、景観も改善される。
【００２４】
図２のような初回の刈り取り後の雑草２１の丈は、２０ｃｍ程度が最適であるが、１５〜３０ｃｍ程度でも許容される。また、図３のような２回目の刈り取り後の雑草２２の丈は、１５ｃｍ程度が最適であるが、１０〜２０ｃｍ程度でも許容される。図４のような最終回の刈り取り後の雑草２３の丈は、５ｃｍ程度が最適であるが、３〜１０ｃｍ程度でも許容される。
このような範囲における上限値より長いと、その後の成長後の草丈が高くなり過ぎ、刈り取り頻度を増やす必要がある。逆に、下限値より短いと、最終回に残った雑草２３の草丈が短過ぎて、刈り取り後の雑草隙間Ｇも浅過ぎるので廃草が隠れきれずに風で飛散する恐れがある。
なお、緑地帯に生えている樹木は、切り倒した後にチップにして放置しマルチングすれば、アースサイクルが可能で、植物系廃棄物がゼロとなり、後始末が不必要となる。
【００２５】
本発明の方法による刈り取り作業は、図５のように例えばモア又はロータリーモアＭ、ｍなどの草刈り機で行なう。刈り取った廃草の吐き出し口を草刈り機Ｍ、ｍに対し前方又は後方と側方に有していて、廃草を細断して矢印方向に吐出するので、図４の最終回のように外周の高い雑草２が無くなると、吐き出し方向を自由に選ぶことで、刈り取った廃草が道路Ｒ側に飛散しないように工夫できる。
なお、刈り高さを次第に低くしていく場合、また全領域を最短状態に定期的に刈り取る場合の時間間隔を「数週間」と記載したが、伸びの速い夏期の場合は２週間程度となり、伸びの遅い冬季には、４〜６週間程度の間隔でも足りる。
【産業上の利用可能性】
【００２６】
以上のように、本発明によると、緑地帯における内側だけを定期的に徐々に短くなるように、複数回に分けて草刈りし、最後は外周側も内側も一斉に刈り取るので、刈り取り作業時に道路に飛散するのを防止でき、通行止めなどの不便を解消できる。
また、刈り取った廃草は、内側に残った雑草の上に放置しても、各雑草間の隙間に入り込んで自然分解するので、風で飛散する恐れがなく、かつ自然と消失するので、刈り取り後の清掃作業も不必要となる。短く刈り取った後は、全体的に日照も良くなるので、短い新芽が密生することなり、常に自然の美しい景観を確保できる。従って、沿道緑地以外の緑地にも有効である。
【符号の説明】
【００２７】
Ｒ  車道
１  緑地帯のコンクリート縁石
２  伸び放題の雑草
３  土壌
Ｇ  刈り取り後の雑草間の隙間
２１  初回の刈り取り後の雑草
２２  ２回目の刈り取り後の雑草
２３  最終回の刈り取り後の雑草
Ｍ・ｍ  草刈り機